(57)【要約】【課題】  腕に装着した場合に、その長さ方向にズレが生じる虞がなく、窮屈感がなく、夏季にも蒸れる虞がない。【解決手段】  開閉自在に結合した抱持用ベース部１ａ及び抱持用開閉片１ｂからなる上腕抱持部１と、その抱持用ベース部１ａの側部から延長した二本の支持帯片２、２と、その支持帯片２、２の屈曲部２ａ、２ａ間に腕片３ａ、３ａを介して配した肱位置決め部３と、支持帯片２、２の先端に結合した抱持用基部４ａ及び抱持用開閉片４ｂからなる手首抱持部４とで構成する。上腕抱持部１と手首抱持部４には通気孔７、７…、１１、１１…が形成してある。肱位置決め部３の配された支持帯片２、２の屈曲部２ａ間は、腕に装着した状態でその肱が位置する位置関係となる。肱位置決め部３は、その内側に概ね楕円形の係止穴３ｂを開口し、肱を挿入可能とする。【選択図】  図１
0003126238.tif 000002
【実用新案登録請求の範囲】
【請求項１】
半割筒状の抱持用ベース部及びこれに両端を突き合わせ結合して円筒状となるように、該抱持用ベース部の一端にその一端を起伏自在に取り付けた半割筒状の抱持用開閉片で構成した上腕抱持部と、
該上腕抱持部の抱持用ベース部の側部から伸展状態の腕の長さ方向に沿って延長する二本の支持帯片であって、前記上腕抱持部で上腕を抱持した場合にその腕の肱の位置する部位に該腕の肱の屈曲方向と同一方向に鈍角に屈曲する屈曲部を有する支持帯片と、
該二本の支持帯片の屈曲部間に構成した肱位置決め部であって、前記上腕抱持部で上腕を抱持した場合にその腕の肱を挿入係止する係止穴を開口した肱位置決め部と、
該二本の支持帯片の先端をその側部に結合した半割筒状の抱持用基部及びこれに両端を突き合わせ結合して円筒状となるように、該抱持用基部の一端にその一端を起伏自在に取り付けた半割筒状の抱持用開閉片で構成した手首抱持部と、
で構成した腕の動作規制具。
【請求項２】
前記屈曲部の角度を１５０〜１７０度に設定した請求項１の腕の動作規制具。
【請求項３】
前記上腕抱持部の抱持用ベース部及び抱持用開閉片、並びに前記手首抱持部の抱持用基部及び抱持用開閉片にそれぞれ通気孔を形成した請求項１又は２の腕の動作規制具。
【請求項４】
前記手首抱持部の抱持用基部を前記二本の支持帯片にその長さ方向位置調整自在に着脱自在な調整結合手段で結合した請求項１、２又は３の腕の動作規制具。
【請求項５】
前記調整結合手段を、前記二本の支持帯片の先端部に構成した平行片部と、前記抱持用基部の周側部に構成した、前記二本の支持帯片の平行片部の間隔で、かつそれぞれが対応する平行片部をスライド自在に挿入可能な摺動結合部とで構成した請求項４の腕の動作規制具。
【考案の詳細な説明】
【技術分野】
【０００１】
本考案は、腕から造影剤を注入する際、腕の血管に点滴を行う際、或いは鼻又は口を通じて栄養分の供給等を行う場合等に、そのためのチューブやカテーテル等を患者が意識的に、或いは無意識的に外してしまうようなことがないように腕の動きを制限する腕の動作の規制具に関するものである。
【背景技術】
【０００２】
この種の腕の動作の規制具には、いくつかの提案がある。
その一は、腕の外半面に巻き付けて覆う樹脂製の断面円弧状の固定カバーの外面に、その固定カバーを腕に巻き付けて固定するバンドを取り付けると共に、各バンドの腕に当たる部分の内面幅方向に、適当な間隔を開けて、腕の血管への圧迫を緩和する複数本のプラスチック丸棒等を貼付けてなる腕固定具（特許文献１）である。
【０００３】
これは、点滴をする際に、その固定カバーの上に腕を載せ、その状態で、その上腕部及び手首部にバンドを巻いて固定し、これによって該腕の動きを規制して、点滴の際に、点滴注射針が抜けたり、薬液供給用チューブが外れたりするのを防止すべく使用するものである。この腕固定具では、各バンドの内面側に複数本のプラスチックの丸棒等が貼り付けてあるため、上記の使用状態で、腕の血管への圧迫が緩和され、血流が抑制されるような虞がないとされている。
【０００４】
その二は、交換可能な袋に挿入して、包んだ溝型の硬質芯材の凹面側を、前記袋を介して腕の外面に当てる如く構成し、更に前記袋の両側に取り付けたバンドに緩衝材を設け、該バンドを腕の回りに巻き付けて、腕に硬質芯材を固定可能に構成した腕固定具（特許文献２）である。
【０００５】
これも、点滴をする際に、硬質芯材に袋を介して腕を載せ、その状態で、その上腕部及び手首部に緩衝材を介してバンドを巻き付け固定し、これによって該腕の動きを規制して、点滴の際に、腕が動いて点滴注射針が抜けたり、薬液供給用チューブが外れたりするのを防止すべく使用するものである。
【０００６】
その三は、長手方向に剛性があり、横幅方向には腕に巻き付け自在な湾曲性がある芯部材と、該芯部材を収納した展開状態矩形状の外装体と、該外装体を腕巻き付け状態に保つ保持手段と、からなり、
前記芯部材を、山部が長手方向に向くように前記外装体に収納した波板、長手方向を向くように該外装体に収納した中実又は中空の棒材又は長手方向を向くように該外装体に収納した帯板材で構成し、
前記保持手段を、面状ファスナー手段で構成し、
前記芯部材の長手方向の端部と前記外装体の内部との間にクッション部材を介装した安全保護具（特許文献３）である。
【０００７】
これは、点滴その他の治療を行う際に、点滴の注射針を刺す側等の直接治療を施す側とは異なる側の腕を、芯部材を内装した外装体に載せ、これを該腕に巻き付け、その状態を面状ファスナー手段等の保持手段で保持し、これによって該腕の動きを規制して、他の腕の点滴の注射針や口や鼻に挿入している気管チューブが取り外されるのを防止すべく使用するものである。
【０００８】
その際に、この安全保護具は、腕の血液の循環を悪化させず、更に被治療者が縛られていると云った感じを持たなくて済む物であるとされている。
【０００９】
これらは、いずれも先に述べたように使用し、相応の効果を得られる物であると考えられるが、その腕への取付状態の長さ方向に於ける保持は十分ではなく、それを取り付けた者が腕を動かした場合に長さ方向にズレる虞がある。またズレないようにサイズを小さめにすると、窮屈になり、血液の循環を悪くする等の問題が生じる虞もある。またいずれも腕を完全にまっすぐに伸ばした状態を前提としているのでこれを装着した者がこれを維持するのは不快になる場合もある。更に又腕の多くの部分が被覆されることになるため、夏季等には温度が上がって蒸れる虞もある。
【００１０】
【特許文献１】特開平０８−１０３４９４号公報
【特許文献２】特開平０８−２８０７９７号公報
【特許文献３】特開２００３−１５４００４号公報
【考案の開示】
【考案が解決しようとする課題】
【００１１】
本考案は、腕に装着した場合に、その長さ方向にズレが生じる虞がなく、腕をまっすぐに伸ばした状態を維持する必要がないので、窮屈感がなく、夏季にも蒸れる虞がなく、加えて、子供でも大人でも同一のそれを使用することが可能な腕の動作規制具を提供することを解決の課題とする。
【課題を解決するための手段】
【００１２】
本考案の１は、半割筒状の抱持用ベース部及びこれに両端を突き合わせ結合して円筒状となるように、該抱持用ベース部の一端にその一端を起伏自在に取り付けた半割筒状の抱持用開閉片で構成した上腕抱持部と、
該上腕抱持部の抱持用ベース部の側部から伸展状態の腕の長さ方向に沿って延長する二本の支持帯片であって、前記上腕抱持部で上腕を抱持した場合にその腕の肱の位置する部位に該腕の肱の屈曲方向と同一方向に鈍角に屈曲する屈曲部を有する支持帯片と、
該二本の支持帯片の屈曲部間に構成した肱位置決め部であって、前記上腕抱持部で上腕を抱持した場合にその腕の肱を挿入係止する係止穴を開口した肱位置決め部と、
該二本の支持帯片の先端をその側部に結合した半割筒状の抱持用基部及びこれに両端を突き合わせ結合して円筒状となるように、該抱持用基部の一端にその一端を起伏自在に取り付けた半割筒状の抱持用開閉片で構成した手首抱持部と、
で構成した腕の動作規制具である。
【００１３】
本考案の２は、本考案の１の腕の動作規制具に於いて、前記屈曲部の角度を１５０〜１７０度に設定したものである。
【００１４】
本考案の３は、本考案の１又は２の腕の動作規制具に於いて、前記上腕抱持部の抱持用ベース部及び抱持用開閉片、並びに前記手首抱持部の抱持用基部及び抱持用開閉片にそれぞれ通気孔を形成したものである。
【００１５】
本考案の４は、本考案の１、２又は３の腕の動作規制具に於いて、前記手首抱持部の抱持用基部を前記二本の支持帯片にその長さ方向位置調整自在に着脱自在な調整結合手段で結合したものである。
【００１６】
本考案の５は、本考案の４の腕の動作規制具に於いて、前記調整結合手段を、前記二本の支持帯片の先端部に構成した平行片部と、前記抱持用基部の周側部に構成した、前記二本の支持帯片の平行片部の間隔で、かつそれぞれが対応する平行片部をスライド自在に挿入可能な摺動結合部とで構成したものである。
【考案の効果】
【００１７】
本考案の１の腕の動作規制具によれば、これを、その両腕に装着して、その腕に点滴を行ったり、口や鼻に気管チューブを取り付けたりした場合に、被装着者の意識的な又は無意識的な腕の動きにより、それらをむしり取ってしまうような重大な事故の発生を確実に防止することができる。
【００１８】
しかも本考案の腕の動作規制具によれば、そのような被装着者に対する腕の動作の規制を比較的束縛感を小さくしつつ確実に行うことが可能である。例えば、前記肱位置決め部に肱が挿入状態となるため、この動作規制具が腕の長さ方向にずれる虞がなく、そのズレに起因する点滴注射針の抜け等の虞がなくなる。また腕を完全に延ばした状態ではなく、僅かに曲げた状態でこの動作規制具を装着するものであるため、窮屈感がなく、また腕の下部の支持が主として二本の支持帯片で行われるものであるため、夏季にも蒸れる虞がない。
【００１９】
本考案の２の腕の動作規制具によれば、その二本の支持帯片の屈曲部の角度を１５０〜１７０度に設定したため、これで規制される腕が窮屈にならず、長時間にわたってこれを装着しても不快にならずに済む。またこの範囲の角度で腕を曲げている場合は、その肱が具合良く前記肱位置決め部の係止穴に挿入係止状態になるため、この腕の動作規制具が腕の長さ方向にずれる虞もない。
【００２０】
本考案の３の腕の動作規制具によれば、前記上腕抱持部及前記手首抱持部に通気性が確保できるため、夏季でも腕が蒸れるような虞がなく、不快にならずに、装着状態を維持することができる。
【００２１】
本考案の４の腕の動作規制具によれば、手首抱持部を二本の支持腕片の先端に位置調整自在に取り付けたため、該手首抱持部を該二本の支持腕片の先端に位置を調整しながら取り付けることにより、その長さを調整することが可能となり、腕の長さの異なる子供や大人にも同一のそれを自由に使用することが可能となる。手首抱持部及び上腕抱持部の径の調整は、その内側にタオル等を入れることにより、行うことが可能である。
【００２２】
本考案の５の腕の動作規制具によれば、簡単な構成で、前記手首抱持部を、前記二本の支持帯片の先端側に、その長さ方向に沿って位置調整可能であるように取り付けることができる。
【考案を実施するための最良の形態】
【００２３】
本考案の腕の動作規制具を実施するための最良の形態を二つの実施例に基づいて説明する。
【実施例１】
【００２４】
この実施例１の腕の動作規制具は、図１〜図４に示すように、基本的に、抱持用ベース部１ａ及び抱持用開閉片１ｂからなる上腕抱持部１と、該抱持用ベース部１ａの側部から延長した二本の支持帯片２、２と、該二本の支持帯片２、２の屈曲部２ａ、２ａ間に配した肱位置決め部３と、該二本の支持帯片２、２の先端に結合した抱持用基部４ａ及び抱持用開閉片４ｂからなる手首抱持部４とで構成したものである。
【００２５】
前記上腕抱持部１の抱持用ベース部１ａは、図１(b)、(c)及び図２(b)に示すように、半割筒状をなし、その一端で同様に半割筒状をなす前記抱持用開閉片１ｂの一端と薄板状ヒンジ部５ａを介して一体に構成したものである。該抱持用ベース部１ａの他端は外方に膨らむ肉厚部に形成し、その内面には該端部縁に沿って結合溝６ａを形成する。他方、前記抱持用開閉片１ｂの他端外面には該端部縁に沿って、前記結合溝６ａと嵌合する結合突条６ｂを突設形成する。こうして、図１(a)、(b)に示すように、閉じている上腕抱持部１は、該抱持用開閉片１ｂを握ってその外端側を僅かに内側に変形させれば、該抱持用開閉片１ｂの結合突条６ｂを前記抱持用ベース部１ａの結合溝６ａから外して、図２(b)に示すように、前記薄板状ヒンジ部５ａで屈曲させて該抱持用開閉片１ｂを開くことができる。
【００２６】
以上の上腕抱持部１の抱持用ベース部１ａ及び抱持用開閉片１ｂには、図１(a)、図２(a)、図３及び図４に示すように、それぞれ円周方向を向いた通気孔７を３本ずつ形成しておくものとする。
【００２７】
なお該上腕抱持部１の径は、大人の上腕部が余裕を持って挿入可能な寸法とする。また該抱持用ベース部１ａ及び該抱持用開閉片１ｂは若干の弾力性を備えたプラスチック材により成形するものである。
【００２８】
前記支持帯片２、２は、図１〜図４に示すように、前記抱持用ベース部１ａの側部から対称の位置関係で突出させたものである。その抱持用ベース部１ａ寄りの部位には、特に図４に示すように、それぞれ該抱持用ベース部１ａの上部側と同一側を内角とする屈曲部２ａを形成する。これらの屈曲部２ａ、２ａは、上腕抱持部１で上腕部を抱持した状態でその肱ｈが位置することとなるように位置決めする。そして、該屈曲部２ａ、２ａの角度αは、この実施例１では１６０度とした。また該支持帯片２、２は、特に図３に示すように、その途中から先端側に向かってその間隔が狭まるように構成する。なお、該二つの支持帯片２、２は前記上腕抱持部１と一体に同一のプラスチック材によって成形したものである。
【００２９】
前記肱位置決め部３は、前記のように、前記二本の支持帯片２、２の屈曲部２ａ、２ａ間に配する要素であり、図１(a)、図２(a)及び図３に示すように、概ね楕円形の要素である。同図及び図４に示すように、該二本の支持帯片２、２の屈曲部２ａ、２ａからそれぞれ内側斜め下方に向かって腕片３ａ、３ａを延ばし、その先端間に該肱位置決め部３を配する。また該肱位置決め部３は、その内側に概ね楕円形の係止穴３ｂを開口し、この中に前記上腕抱持部１で上腕を抱持した場合にその腕ｕの肱ｈを挿入可能とする。なお、この肱位置決め部３も腕片３ａ、３ａと共に、前記上腕抱持部１及び二本の支持帯片２、２と同一のプラスチック材で一体に成形する。
【００３０】
前記手首抱持部４の抱持用基部４ａは、図１(b)、(c)及び図２(b)に示すように、半割筒状をなし、その一端で同様に半割筒状をなす前記抱持用開閉片４ｂの一端と薄板状ヒンジ部８ａを介して一体に構成したものである。該抱持用基部４ａの他端は外方に膨らむ肉厚部に形成し、その内面には該端部縁に沿って結合溝１０ａを形成する。他方、前記抱持用開閉片４ｂの他端外面には該端部縁に沿って、前記結合溝１０ａと嵌合する結合突条１０ｂを突設形成する。こうして、図１(a)、(b)に示すように、閉じている手首抱持部４は、該抱持用開閉片４ｂを握ってその外端側を僅かに内側に変形させれば、該抱持用開閉片４ｂの結合突条１０ｂを前記抱持用基部４ａの結合溝１０ａから外して、図２(b)に示すように、前記薄板状ヒンジ部８ａで屈曲させて該抱持用開閉片４ｂを開くことができる。
【００３１】
また以上の手首抱持部４の抱持用基部４ａ及び抱持用開閉片４ｂには、図１(a)、図２(a)、図３及び図４に示すように、それぞれ円周方向を向いた通気孔１１を３本ずつ形成しておくものとする。
【００３２】
なお該手首抱持部４の径は、大人の手首が余裕を持って挿入可能な寸法とする。また該抱持用基部４ａ及び前記抱持用開閉片４ｂからなる手首抱持部４は、前記上腕抱持部１、二本の支持帯部２、２及び肱位置決め部３と共に、若干の弾力性を備えたプラスチック材により一体に成形するものである。
【００３３】
従ってこの実施例１の腕の動作規制具によれば、これを、その両腕ｕ、ｕに装着して、その腕ｕに点滴を行ったり、口や鼻に気管チューブを取り付けたりした場合に、被装着者の意識的な又は無意識的な腕ｕの動きにより、それらをむしり取ってしまうような重大な事故の発生を確実に防止することができる。
【００３４】
この腕の動作規制具を腕ｕに装着する場合は、まず、前記したように、手首抱持部４の抱持用開閉片４ｂ及び上腕抱持部１の抱持用開閉片１ｂを、その弾力性を利用して若干内側に変形させた上で、それぞれの結合突条１０ｂ、６ｂを前記抱持用基部４ａ又は抱持用ベース部１ａの結合溝１０ａ、６ａから外し、かつ各薄板状ヒンジ部８ａ、５ａで屈曲させて、図２(a)、(b)及び図３に示すように、該抱持用開閉片４ｂ、１ｂを開く。
【００３５】
次いで、図３及び図４に示すように、上腕抱持部１の抱持用ベース部１ａには腕ｕの上腕部を、手首抱持部４の抱持用基部４ａには手首を、それぞれ載せ、腕ｕの途中は支持帯片２、２の上に載せる。この後、それぞれの抱持用開閉片４ｂ、１ｂを閉じるようにすると、それらの端部の結合突条１０ｂ、６ｂが弾力的に前記結合溝１０ａ、６ａに嵌合し、上腕抱持部１及び手首抱持部４は円筒状となってそれぞれ上腕部及び手首部を抱持することになる。
【００３６】
このとき、腕ｕの太さなどが微妙に適合しない場合は、上腕抱持部１又は手首抱持部４の内側にタオル等を介在させるとその調整を容易に行うことができる。
【００３７】
このように、この腕の動作規制具を装着すると、この状態で、図４に示すように、肱ｈは、前記肱位置決め部３の係止穴３ｂ中に挿入状態となる。そのため、該腕の動作規制具は、腕ｕの長さ方向に移動することがなくなり、これによる腕ｕの動作規制が確実なものとなる。一方、前記のように、これを装着した腕ｕは、肱ｈの部分で腕ｕを１６０度程度に曲げた状態となっているため、窮屈感がなく、長時間にわたる装着でも不快感を余り持たずに済むものでもある。
【００３８】
手首抱持部４の抱持用基部４ａ及び抱持用開閉片４ｂ並びに上腕抱持部１の抱持用ベース部１ａ及び抱持用開閉片１ｂには、前記のように、通気孔７、７…、１１、１１…が形成してあり、両者の間は、二本の支持帯片２、２で接続したものであるため、これを装着した腕ｕは、該通気孔７、７…、１１、１１…等を通じて空気の流通を確保し、快適な状態を維持することができる。
【００３９】
従ってこの実施例１の腕の動作規制具によれば、これを、その両腕ｕ、ｕに装着して、快適な状態を維持しながら、その腕ｕに点滴を行ったり、口や鼻に気管チューブを取り付けたりして、薬液の注入等を安全確実に、行うことができる。
【実施例２】
【００４０】
この実施例２の腕の動作規制具は、図５〜図９に示すように、実施例１のそれと、上腕抱持部１の抱持用ベース部１ａと抱持用開閉片１ｂとが別体に構成され、相互が薄板状ヒンジ部５ａに代えてヒンジピンとヒンジ管とで構成されたヒンジ５ｂで接続されていること、手首抱持部４の抱持用基部４ａと抱持用開閉片４ｂとが別体に構成され、相互が薄板状ヒンジ部８ａに代えてヒンジピンとヒンジ管とで構成されたヒンジ８ｂで接続されていること、支持帯片２、２が前記手首抱持部４の抱持用基部４ａと別体に構成され、それらの先端を該抱持用基部４ａに位置調整自在に接続したこと、これに関連して該抱持用基部４ａに形成した通気孔１１、１１、１１の長さが短いこと、及び支持帯片２、２の屈曲部２ａの角度αの各々の点のみが異なり、他の点は同一である。
【００４１】
従って、以下には、主として異なる点を説明する。なお実施例１と同一の構成要素には同一の符号を付してある。
【００４２】
前記上腕抱持部１の抱持用ベース部１ａと抱持用開閉片１ｂと、並びに前記手首抱持部４の抱持用基部４ａと抱持用開閉片４ｂとのそれぞれの該当端部間を接続するヒンジ５ｂ、８ｂは、図５〜図９に示すように、抱持用ベース部１ａ及び抱持用基部４ａの該当端部に各々所定間隔をあけて配した３個のヒンジ管と、抱持用開閉片１ｂ、４ｂの該当端部に該ヒンジ管の間に挿入されるべく配した２個のヒンジ管と、そのように直列に配したヒンジ管に貫通させたヒンジピンとで構成した極めて一般的な構成のものである該各ヒンジピンは、云うまでもなく、抜け止めがなされている。
【００４３】
前記支持帯片２、２の屈曲部２ａは、この実施例２では、その角度αを１７０度に構成した。
【００４４】
前記支持帯片２、２の前記抱持用基部４ａへの位置調整自在な接続は、以下に示すように構成したものである。
【００４５】
該支持帯片２、２は、その先端付近を、特に図７に示すように、平行状態となって延長する挿脱自在な平行片部に構成する。該二本の平行片部の間隔は、後記摺動結合部９、９の間隔に構成する。
【００４６】
また該抱持用基部４ａの両端側には、図５(b)、(c)、図６(b)及び図９に示すように、その幅方向に延長し、両側部側に開口する帯状スライド孔を備えた摺動結合部９、９を形成する。該摺動結合部９、９は、同図に示し、前記したように、前記二本の支持帯片２、２の先端側の平行片部の間隔で構成し、かつその帯状スライド孔は、該二本の平行片部のスライド進入が可能な寸法の帯状の孔空間に構成する。なおこれらの摺動結合部９、９は、同図に示すように、該当部位を外方に膨らませ、その内側に前記帯状の孔空間を形成することで構成したものである。
【００４７】
前記通気孔１１、１１、１１は、図６(a)及び図８に示すように、抱持用基部４ａに於いて、上記摺動結合部９、９を構成した部位を避けて構成してあるため、その分だけ短く構成したものである。
【００４８】
従って前記支持帯片２、２は、その先端側の平行片部をそれぞれ手首抱持部４の抱持用基部４ａに構成した摺動結合部９、９の帯状スライド孔に摺動自在に挿入することができる。また挿入深さを調整することで、この実施例２の腕の動作規制具の長さを自在に変更することができる。
【００４９】
従ってこの実施例２の腕の動作規制具によれば、これを、その両腕ｕ、ｕに装着して、実施例１のそれと全く同様に使用することができる。更にこの実施例２の場合は、また前記二本の支持帯片２、２の先端の平行片部に於いて、手首抱持部４の該支持帯片２、２の長さ方向の位置が調整可能であるため、この腕の動作規制具の実質的な長さを調整し得ることになり、一種のそれで、大人でも子供でも装着可能になる利点がある。
【図面の簡単な説明】
【００５０】
【図１】(a)は実施例１の腕の動作規制具の正面図、(b)は左側面図、(c)は右側面図（煩雑になるので、図に於いて、支持帯片を屈曲させない状態で描いてある。図２、図３、図５〜図８まで同様）。
【図２】(a)は実施例１の腕の動作規制具の手首抱持部及び上腕抱持部を開いた状態の正面図、(b)は左側面図。
【図３】手首抱持部及び上腕抱持部を開いた実施例１の腕の動作規制具に腕を載せた状態の正面図。
【図４】腕に装着した状態の実施例１の腕の動作規制具の側方から見た図。
【図５】(a)は実施例２の腕の動作規制具の正面図、(b)は左側面図、(c)は右側面図。
【図６】(a)は実施例２の腕の動作規制具の手首抱持部及び上腕抱持部を開いた状態の正面図、(b)は左側面図。
【図７】手首抱持部を取り外した状態の実施例２の腕の動作規制具の正面図。
【図８】手首抱持部及び上腕抱持部を開いた実施例２の腕の動作規制具に腕を載せた状態の正面図。
【図９】腕に装着した状態の実施例２の腕の動作規制具の側方から見た図。
【符号の説明】
【００５１】
１    上腕抱持部
１ａ  抱持用ベース部
１ｂ  抱持用開閉片
２    支持帯片
２ａ  屈曲部
３    肱位置決め部
３ａ  腕片
３ｂ  係止穴
４    手首抱持部
４ａ  抱持用基部
４ｂ  抱持用開閉片
５ａ  上腕抱持部の薄板状ヒンジ部
５ｂ  上腕抱持部のヒンジ
６ａ  上腕抱持部の抱持用ベース部の結合溝
６ｂ  上腕抱持部の抱持用開閉片の結合突条
７    上腕抱持部の通気孔
８ａ  手首抱持部の薄板状ヒンジ部
８ｂ  手首抱持部のヒンジ
９    後記摺動結合部
１０ａ  手首抱持部の抱持用基部の結合溝
１０ｂ  手首抱持部の抱持用開閉片の結合突条
１１  手首抱持部の通気孔
α    屈曲部の角度
ｈ    肱
ｕ    腕
【図１】
0003126238.tif 000003
【図２】
0003126238.tif 000004
【図３】
0003126238.tif 000005
【図４】
0003126238.tif 000006
【図５】
0003126238.tif 000007
【図６】
0003126238.tif 000008
【図７】
0003126238.tif 000009
【図８】
0003126238.tif 000010
【図９】
0003126238.tif 000011